(57)【特許請求の範囲】
【請求項１】
無線通信システムにおける基地局がページングメッセージを送信する方法であって、
ページング情報メッセージに基づいて、第１の周波数バンドと第２の周波数バンド内のページングキャリアのうちページングメッセージを送信するためのページングキャリアを決定するステップと、
前記決定されたページングキャリアを用いて前記ページング情報メッセージを送信するステップと、を含み、
前記ページング情報メッセージは、前記基地局が属するページンググループ識別子に対する情報と前記ページングキャリアに対する情報とを含むことを特徴とするページングメッセージ送信方法。
【請求項２】
前記ページング情報メッセージは、アイドルモードの移動端末に送信され、前記ページング情報メッセージに含まれたページンググループ識別子の個数を示す情報を含むことを特徴とする請求項１に記載のページングメッセージ送信方法。
【請求項３】
前記ページングキャリアを決定するステップは、
前記移動端末の識別子を前記ページングキャリアの個数にモジュロ（Ｍｏｄｕｌｏ）演算して前記ページングキャリアを決定するステップを含むことを特徴とする請求項１に記載のページングメッセージ送信方法。
【請求項４】
前記ページングキャリアは、前記ページングメッセージが送信される周波数バンドと同一な周波数バンドに含まれることを特徴とする請求項１に記載のページングメッセージ送信方法。
【請求項５】
前記ページングキャリアに対する情報は、該当キャリアが前記基地局のページングキャリアであるか否かを示すページングキャリア指示ビットマップ情報を含み、前記ページングキャリア指示ビットマップ情報は、該当キャリアが前記ページングメッセージを送信するために使用されるか否かを示すページングキャリア指示ビットを含むことを特徴とする請求項１に記載のページングメッセージ送信方法。
【請求項６】
前記ページングキャリア指示ビットが第１の値である場合、該当キャリアは前記ページングメッセージを送信するために使用され、前記ページングキャリア指示ビットが前記第１の値とは異なる第２の値である場合、該当キャリアは、前記ページングメッセージを送信するために使用されないことを特徴とする請求項５に記載のページングメッセージ送信方法。
【請求項７】
無線通信システムにおける移動端末がページングメッセージを受信する方法であって、
ページング情報メッセージに基づいて、第１の周波数バンド及び第２の周波数バンド内のページングキャリアのうちページングメッセージを受信するためのページングキャリアを決定するステップと、
前記決定されたページングキャリアを用いて基地局から前記ページングメッセージを受信するステップとを含み、
前記ページング情報メッセージは、前記ページングキャリアを通じて受信され、前記基地局が属するページンググループ識別子に対する情報と前記ページングキャリアに対する情報とを含むことを特徴とするページングメッセージ受信方法。
【請求項８】
前記ページング情報メッセージは、アイドルモードで受信され、前記ページング情報メッセージに含まれたページンググループ識別子の個数を示す情報を含むことを特徴とする請求項７に記載のページングメッセージ受信方法。
【請求項９】
前記ページングキャリアを決定するステップは、
前記移動端末の識別子を前記ページングキャリアの個数にモジュロ（Ｍｏｄｕｌｏ）演算して前記ページングキャリアを決定するステップを含むことを特徴とする請求項７に記載のページングメッセージ受信方法。
【請求項１０】
前記ページングキャリアは、前記ページングメッセージが送信される周波数バンドと同一な周波数バンドに含まれることを特徴とする請求項７に記載のページングメッセージ受信方法。
【請求項１１】
前記ページングキャリアに対する情報は、該当キャリアが前記基地局のページングキャリアであるか否かを示すページングキャリア指示ビットマップ情報を含み、前記ページングキャリア指示ビットマップ情報は、該当キャリアが前記ページングメッセージを送信するために使用されるか否かを示すページングキャリア指示ビットを含むことを特徴とする請求項７に記載のページングメッセージ受信方法。
【請求項１２】
前記ページングキャリア指示ビットが第１の値である場合、該当キャリアは、前記ページングメッセージを送信するために使用され、前記ページングキャリア指示ビットが前記第１の値とは異なる第２の値である場合、該当キャリアは、前記ページングメッセージを送信するために使用されないことを特徴とする請求項１１に記載のページングメッセージ受信方法。
【請求項１３】
無線通信システムにおける基地局であって、
ページング情報メッセージに基づいて、第１の周波数バンドと第２の周波数バンド内のページングキャリアのうちページングメッセージを送信するためのページングキャリアを決定する制御部と、
前記決定されたページングキャリアを用いて前記ページング情報メッセージを送信する送信部とを含み、
前記ページング情報メッセージは、前記基地局が属するページンググループ識別子に対する情報と前記ページングキャリアに対する情報とを含むことを特徴とする基地局。
【請求項１４】
前記ページング情報メッセージは、アイドルモードの移動端末に送信され、前記ページング情報メッセージに含まれたページンググループ識別子の個数を示す情報を含むことを特徴とする請求項１３に記載の基地局。
【請求項１５】
前記制御部は、前記移動端末の識別子を前記ページングキャリアの個数にモジュロ（Ｍｏｄｕｌｏ）演算して前記ページングキャリアを決定することを特徴とする請求項１３に記載の基地局。
【請求項１６】
前記ページングキャリアは、前記ページングメッセージが送信される周波数バンドと同一な周波数バンドに含まれることを特徴とする請求項１３に記載の基地局。
【請求項１７】
前記ページングキャリアに対する情報は、該当キャリアが前記基地局のページングキャリアであるか否かを示すページングキャリア指示ビットマップ情報を含み、前記ページングキャリア指示ビットマップ情報は、該当キャリアが前記ページングメッセージを送信するために使用されるか否かを示すページングキャリア指示ビットを含むことを特徴とする請求項１３に記載の基地局。
【請求項１８】
前記ページングキャリア指示ビットが第１の値である場合、該当キャリアは前記ページングメッセージを送信するために使用され、前記ページングキャリア指示ビットが前記第１の値とは異なる第２の値である場合、該当キャリアは、前記ページングメッセージを送信するために使用されないことを特徴とする請求項１７に記載の基地局。
【請求項１９】
無線通信システムにおける移動端末であって、
ページング情報メッセージに基づいて、第１の周波数バンド及び第２の周波数バンド内のページングキャリアのうちページングメッセージを受信するためのページングキャリアを決定する制御部と、
前記決定されたページングキャリアを用いて前記ページングメッセージを受信する受信部とを含み、
前記ページング情報メッセージは、前記ページングキャリアを通じて受信され、前記基地局が属するページンググループ識別子に対する情報と前記ページングキャリアに対する情報とを含むことを特徴とする移動端末。
【請求項２０】
前記ページング情報メッセージは、アイドルモードで受信され、前記ページング情報メッセージに含まれたページンググループ識別子の個数を示す情報を含むことを特徴とする請求項１９に記載の移動端末。
【請求項２１】
前記制御部は、前記移動端末の識別子を前記ページングキャリアの個数にモジュロ（Ｍｏｄｕｌｏ）演算して前記ページングキャリアを決定することを特徴とする請求項１９に記載の移動端末。
【請求項２２】
前記ページングキャリアは、前記ページングメッセージが送信される周波数バンドと同一な周波数バンドに含まれることを特徴とする請求項１９に記載の移動端末。
【請求項２３】
前記ページングキャリアに対する情報は、該当キャリアが前記基地局のページングキャリアであるか否かを示すページングキャリア指示ビットマップ情報を含み、前記ページングキャリア指示ビットマップ情報は、該当キャリアが前記ページングメッセージを送信するために使用されるか否かを示すページングキャリア指示ビットを含むことを特徴とする請求項１９に記載の移動端末。
【請求項２４】
前記ページングキャリア指示ビットが第１の値である場合、該当キャリアは前記ページングメッセージを送信するために使用され、前記ページングキャリア指示ビットが前記第１の値とは異なる第２の値である場合、該当キャリアは前記ページングメッセージを送信するために使用されないことを特徴とする請求項２３に記載の移動端末。
【発明の詳細な説明】
【技術分野】
【０００１】
本発明は無線通信システムに関するもので、特に周波数オーバーレイ(Frequency  Overlay)方式を使用する無線通信システム(以下、‘周波数オーバーレイ通信システム'と称する)においてページングメッセージを送受信する方法及び装置に関する。
【背景技術】
【０００２】
通信システムの発展に従って、提供されるサービスの種類も多様化され、これら多様な種類のサービスを広帯域を通じて提供するための広帯域通信システムに関する研究及び開発の必要性が求められている。広帯域通信システムにおける周波数リソースは限定されている。使用可能な周波数帯域が限定され、既に設置されている通信システムとの下位互換性(backward  compatibility)も考慮する必要があるため、広帯域通信システムは、設計が難しいという問題点があった。
【０００３】
既存の広帯域通信システムは、多様な種類の広帯域サービスを提供するために異なる周波数帯域が割り当てられるという仮定下に設計された。通信技術が発展するに従って、広帯域サービスのための周波数帯域の個数増加が要求され、周波数帯域の使用に対するライセンス(license)料も増加し、それによって実際に提供される広帯域サービスに提案された多様な方式に遅延時間(latency)が発生するようになる。
【０００４】
したがって、周波数帯域の限定性を克服しつつ、又は周波数帯域に対するライセンス料の増加を防止しつつ、広帯域サービスを円滑に提供するための方案が必要である。これら方案のうちの一つとして、特定周波数帯域において既存の通信システムとオーバーレイされる広帯域通信システム、例えば、コード分割多重アクセス(Code Division  Multiple Access：ＣＤＭＡ)２０００  ３ｘ通信システム及びオーバーレイ直交周波数分割多重アクセス(Orthogonal  Frequency  Division  Multiple  Access：：ＯＦＤＭＡ)通信システムが考慮されている。このような場合、特定周波数帯域でオーバーレイされた広帯域通信システムの端末(Mobile  Station：ＭＳ）と各基地局(Base  Station：ＢＳ)との間で送受信されるページングメッセージ(Paging  Message)の送受信に対して新たな定義を必要とする。
【発明の概要】
【発明が解決しようとする課題】
【０００５】
したがって、上記した従来技術の問題点を解決するために、本発明の目的は、無線通信システムにおけるページングメッセージを送受信する方法及び装置を提供することにある。
【０００６】
本発明の他の目的は、端末(ＭＳ)によりサポートされる帯域に従ってページングメッセージを送信する方法及び装置を提供することにある。
【０００７】
また、本発明の目的は、端末によりサポートされる帯域に対する帯域情報に基づいてページングキャリアを決定する方法及び装置を提供することにある。
【課題を解決するための手段】
【０００８】
上記のような目的を達成するために、本発明の一態様によれば、無線通信システムにおける基地局(ＢＳ)によりページングメッセージを送信する方法であって、基地局が属するページンググループに対するページンググループ情報と、基地局により運用される複数の周波数バンド各々に含まれるページングキャリアのうち少なくとも一つを指示する周波数バンド別ページングキャリア情報とを含むページンググループ識別情報(ＰＧＩＤ_Ｉｎｆｏ)メッセージをアイドルモードで端末に送信するステップと、端末によりサポートされる周波数バンドに含まれるページングキャリアのうちページングメッセージを送信するページングキャリアを決定するステップと、決定されたページングキャリアを用いてページングメッセージを端末に送信するステップとを有する。
【０００９】
本発明の他の態様によれば、無線通信システムにおける端末(ＭＳ)によりページングメッセージを受信する方法であって、アイドルモードで、基地局が属するページンググループに対するページンググループ情報と、基地局により運用される複数の周波数バンドの各々に含まれるページングキャリアのうち少なくとも一つを指示する周波数バンド別ページングキャリア情報とを含むページンググループ識別情報(ＰＧＩＤ_Ｉｎｆｏ)メッセージを基地局(ＢＳ)から受信するステップと、端末によりサポートされる周波数バンドに含まれるページングキャリアの中でページングメッセージを受信するページングキャリアを決定するステップと、決定されたページングキャリアを用いてページングメッセージを基地局から受信するステップとを有する。
【００１０】
また、本発明の他の態様によれば、無線通信システムにおけるページングメッセージを送信する基地局(ＢＳ)であって、基地局が属するページンググループに対するページンググループ情報と、基地局により運用される複数の周波数バンドの各々に含まれるページングキャリアのうち少なくとも一つを指示する周波数バンド別ページングキャリア情報とを含むページンググループ識別情報(ＰＧＩＤ_Ｉｎｆｏ)メッセージを生成し、端末によりサポートされる周波数バンドに含まれるページングキャリアの中でページングメッセージを送信するページングキャリアを決定する制御器と、ＰＧＩＤ_Ｉｎｆｏメッセージをアイドルモードで端末に送信し、決定されたページングキャリアを用いてページングメッセージを送信する送受信器とを含む。
【００１１】
さらに、本発明の他の態様によれば、無線通信システムにおけるページングメッセージを受信する端末(ＭＳ)であって、ページンググループ識別情報(ＰＧＩＤ_Ｉｎｆｏ)メッセージ及びページングメッセージを基地局(ＢＳ)から受信する送受信器と、アイドルモードで受信したＰＧＩＤ_Ｉｎｆｏメッセージから、基地局が属するページンググループに対するページンググループ情報と、基地局が運用する複数の周波数バンドの各々に含まれる少なくとも一つのページングキャリアを指示する周波数バンド別ページングキャリア情報を獲得し、端末によりサポートされる周波数バンドに含まれるページングキャリアの中でページングメッセージを受信するためのページングキャリアを決定し、決定されたページングキャリアをモニタリングするように送受信器を制御する制御器とを含む。
【００１２】
本発明の他の様態、長所、及び顕著な特徴は、添付された図面との結合を考慮すれば、後述する詳細な説明を参照してより容易に理解できることは、当該技術分野における通常の知識を持つ者には明らかである。
【発明の効果】
【００１３】
本発明は、端末によりサポートされないバンドクラスを使用することによって発生するオーバーヘッドを防止し、基地局内のキャリア間ページングロードを効果的に分散させることができる。また、本発明は、ページングキャリアの運用によるページングメッセージオーバーヘッドを減少し、端末によりサポートされるバンドでページングメッセージの受信を保証することで、不必要な位置アップデート手順を防止することができる。
【００１４】
本発明による実施形態の上記及び他の態様、特徴、及び利点は、添付の図面と共に述べる以下の詳細な説明から、一層明らかになるはずである。
【図面の簡単な説明】
【００１５】
【図１】本発明の一実施形態による周波数オーバーレイ通信システムにおけるバンドとキャリアの割り当て構成を概略的に示す図である。
【図２】本発明の一実施形態により、周波数オーバーレイ通信システムにおける端末によりページングキャリアを選択する動作を説明するためのメッセージフローを示す図である。
【図３】本発明の一実施形態により、アイドルモード(ＩＭ)進入手順の端末に対するバンド情報を伝送する動作を示すメッセージフロー図である。
【図４】本発明の一実施形態により、ページングリスニング区間で端末のためのページング公知(paging  announcement)メッセージを伝送する動作を説明するためのメッセージフローを示す図である。
【図５】本発明の一実施形態により、ページングリスニング区間で端末によりページングキャリアを選択してページングメッセージを受信する動作を説明するためのメッセージフローを示す図である。
【図６Ａ】本発明の一実施形態により、基地局により端末のバンド情報を用いてページングメッセージを送信する動作を示すフローチャートである。
【図６Ｂ】本発明の一実施形態により、基地局により端末のバンド情報を用いてページングメッセージを送信する動作を示すフローチャートである。
【図７】本発明の一実施形態による基地局の構成を概略的に示すブロック構成図である。
【発明を実施するための形態】
【００１６】
以下、本発明の望ましい実施形態を添付の図面を参照して詳細に説明する。
【００１７】
添付の図面を参照した下記の説明は、特許請求の範囲の記載及びこれと均等なものの範囲内で定められるような本発明の実施形態の包括的な理解を助けるために提供するものであり、この理解を助けるための様々な特定の詳細を含むが、唯一つの実施形態に過ぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１８】
次の説明及び請求項に使用する用語及び単語は、辞典的意味に限定されるものではなく、発明者により本発明の理解を明確且つ一貫性があるようにするために使用する。従って、特許請求の範囲とこれと均等なものに基づいて定義されるものであり、本発明の実施形態の説明が単に実例を提供するためのものであって、本発明の目的を限定するものでないことは、本発明の技術分野における通常の知識を持つ者には明らかである。
【００１９】
英文明細書に記載の“ａ”、“ａｎ”、及び“ｔｈｅ”、すなわち単数形は、コンテキスト中に特記で明示されない限り、複数形を含むことは、当業者にはわかることである。したがって、例えば、“コンポーネント表面(a  component  surface)”との記載は一つ又は複数の表面を含む。
【００２０】
“実質的に(substantially)”という用語は、提示された特徴、パラメータ、又は値が正確に設定される必要はないが、許容誤差、測定誤り、測定精度限界及び当業者に知られているか、あるいは当業者によって実験なしに得られる要素を含む偏差又は変化が、これら特性が提供しようとする効果を排除しない範囲内で発生することを意味する。
【００２１】
ここでは、ＩＥＥＥ(Institute  of  Electrical  and  Electronics  Engineers)８０２.１６ｅ及び８０２.１６ｍに基づいた通信標準を参照して、無線通信システムのページング送受信動作を説明するが、本発明の実施形態により提案されたページング動作が特定通信プロトコルまたはシステム構成に限定されるものではなく、本発明の要旨から逸脱しない範囲内で多様な変形が可能であることは、当該技術分野における通常の知識を持った者には明らかである。
【００２２】
後述される図１〜図７及び、本発明の原理を説明するために使用される多様な実施形態は、単にその実施例を示すものに過ぎず、本発明の範囲を限定するものとして捉えてはならない。本発明の原理が適切に配列された通信システムで実現できることは、当該技術分野で通常の知識を有する者には明らかである。多様な実施形態の説明に使用される用語は、例示である。これは、但し説明の理解のために提供され、これらの使用及び定義が本発明の範囲を限定しないことを理解すべきである。“第１”及び“第２”のような用語は、同一の用語を有する対象間の区分のために使用されるが、明確に述べる場合を除き、対象間の順序を意味するものではない。セットは、少なくとも一つの要素を含む空ではないセットを意味する。
【００２３】
図１は、本発明の一実施形態による周波数オーバーレイ通信システムにおける帯域及びキャリアの割り当て構成を概略的に示す。
【００２４】
図１を参照すると、周波数オーバーレイ通信システムは、２個の周波数帯域(以下、‘バンド’と称する)、すなわちバンドＡ１００とバンドＢ１０３で運用される。一例として、バンドＡ１００は、２.５ＧＨｚの中心周波数を有し、バンドＢ１０３は３.５ＧＨｚの中心周波数を有することができる。通信システムは、第１の基地局(ＢＳ)１１１と第２の基地局１５１を含み、第１の基地局１１１はバンドＡ１００に属するキャリアＣ１  １１３、Ｃ２  １１５、Ｃ３１１７と、バンドＢ１０３に属するキャリアＣ４  １１９、Ｃ５  １２１、Ｃ６  １２３、Ｃ７  １２５を運用する。第２の基地局１５１は、バンドＡ１００に属するキャリアＣ１  １５３、Ｃ２  １５５、Ｃ３  １５７とバンドＢ  １０３に属するキャリアＣ４  １５９、Ｃ５  １６１、Ｃ６  １６３、Ｃ７  １６５を有する。
【００２５】
各基地局は、アイドルモードの端末(ＭＳ)がページングメッセージを受信するためにすべてのキャリアをモニタリングしなければならない負担を低減させるために、予め定められた一部キャリアをページングキャリアとして運用する。上記の例では、第１の基地局１１１は、キャリアＣ１  １１３、Ｃ３  １１７、Ｃ４  １１９、Ｃ５  １２１、Ｃ６  １２３をページングキャリアとして使用し、第２の基地局１５１は、キャリアＣ１  １５３、Ｃ３  １５７、Ｃ４  １５９、Ｃ７  １６５をページングキャリアとして使用する。第１の基地局１１１又は第２の基地局１５１は、上位システムからページング要求を受信する場合、ページングキャリアでページングメッセージを伝送する。これらページングキャリアは、基地局のすべてのキャリアでページングメッセージが重複して伝送されることを防止するために導入された。ページングキャリアのうち、端末がページングメッセージを受信するために使用するページングキャリアは、所定の特定演算に基づいて上記ページングキャリアの中から選択される。
【００２６】
図２は、本発明の一実施形態により、周波数オーバーレイ通信システムにおける端末によりページングキャリアを選択する動作を説明するためのメッセージフローを示す。
【００２７】
図２を参照すると、端末２０１は、アイドルモード状態にあり、基地局２５１は、２個のバンド、すなわちキャリアＣ１，Ｃ２，Ｃ３を含むバンドＡと、キャリアＣ４，Ｃ５，Ｃ６，Ｃ７を含むバンドＢとを運用し、これらの中でＣ１，Ｃ３，Ｃ４，Ｃ５，Ｃ６をページングキャリアとして使用する。
【００２８】
ステップ２１１において、基地局２５１は、ページング周期によるページングリスニング区間(paging  listening  interval)内の所定位置で、基地局２５１によりサポートされるページンググループを広告するためのページング制御メッセージ、すなわちページンググループ識別情報(Paging  Group  IDentification Information：ＰＧＩＤ_Ｉｎｆｏ)メッセージをアイドルモードの端末へ伝送する。ＰＧＩＤ_Ｉｎｆｏメッセージは、基地局２５１に構成されたすべてのキャリア、すべてのページングキャリア、又は上位システムにより指示されるキャリアを通じて伝送することができる。ＰＧＩＤ_Ｉｎｆｏメッセージは、基地局により運用される少なくとも一つのページングキャリアに関する情報、すなわちページングキャリア情報を含む。例えば、ＰＧＩＤ_Ｉｎｆｏメッセージは、ＰＧＩＤ_Ｉｎｆｏメッセージに含まれるページンググループ識別子(Paging Group Identifier：ＰＧＩＤ)の個数と、ＰＧＩＤ_Ｉｎｆｏメッセージを伝送する基地局が属するページンググループのＰＧＩＤと、基地局内の各キャリアがページングキャリアであるか否かを指示するページングキャリア指示ビットマップを含む。ページングキャリア指示ビットマップは、基地局で運用可能なキャリアの個数と同一のサイズを有し、ビットマップ内のビットは、１対１で運用可能なキャリアにマッピングされる。ページングキャリアの個数は、ビットマップで‘１’に設定されるビットの個数と同一である。
【００２９】
ステップ２１３において、アイドルモードの端末２０１は、ＰＧＩＤ_Ｉｎｆｏメッセージから、ページング広告(Paging  Advertisement：ＰＡＧ-ＡＤＶ)メッセージを受信するために使用するページングキャリアを識別するための基地局２５１のページングキャリア情報を獲得する。ページングキャリア情報は、例えば基地局２５１のキャリアのうちページングキャリアとして使用される少なくとも一つのキャリアを指示するページングキャリア指示ビットマップを含む。上記した例において、ページングキャリア情報は、キャリアＣ１〜Ｃ７の中でＣ１，Ｃ３，Ｃ４，Ｃ５，Ｃ６を指示する。
【００３０】
ステップ２１５において、端末２０１は、所定の演算式によって、ページングリスニング区間でページングメッセージを受信するためにモニタリングするページングキャリアを決定する。例えば、ページングキャリアを決定するために使用される演算式は、次の数式(１)に示すようである。
【００３１】
【数１】
0005614907.tif 000002
【００３２】
ここで、ＤＩＤ(Deregistration  Identifier)はアイドルモードでの端末を識別するために固有に割り当てられる登録解除識別子を表し、Ｎは基地局により運用されるページングキャリアの個数を表し、‘ｍｏｄ’はモジュロ演算を表す。ＤＩＤは、端末がアイドルモードに進入する場合、すなわち端末が登録解除(deregistration)される場合に端末に割り当てられ、Ｎは、ＰＧＩＤ_Ｉｎｆｏメッセージのページングキャリア情報から獲得される。
【００３３】
例えば、端末２０１のＤＩＤが‘２３７’である場合、基地局２５１により運用されるページングキャリアの個数が５であるため、端末２０１のページングキャリアは、Ｃ４として決定される。
【００３４】
ステップ２１７において、端末２０１は、決定されたページングキャリアＣ４で、端末２０１をページングするためのページングメッセージ、すなわちＰＡＧ-ＡＤＶメッセージを受信する。例えば、ＰＡＧ-ＡＤＶメッセージは、ＩＥＥＥ８０２.１６ｍベースの改善された無線インターフェース(Advanced  Air  Interface：ＡＡＩ)によって伝送される。ＰＡＧ-ＡＤＶメッセージは、該当ページンググループの端末各々がページングされたか否かを示すページングされた端末情報(Paged  MS  Info)を含む。例えば、ページングされた端末情報は、ＤＩＤと動作コードを含み、端末がネットワーク再進入(network  reentry)を遂行するか、あるいは位置アップデートのためのレンジング(ranging)を遂行するかを動作コードにより指示する。
【００３５】
上記したように、ＭＳ２０１は、ＰＡＧ-ＡＤＶメッセージがＰＧＩＤ_Ｉｎｆｏメッセージとは異なり、一つのキャリアのみを通じて伝送されるため、基地局２５１により運用されるすべてのページングキャリアのうちいずれか一つを選択してモニタリングする。
【００３６】
一方、基地局２５１が異なるバンド特性を有するバンドＡとバンドＢを運用し、端末２０１がバンドＡとバンドＢ両方ともをサポートする代わりにこれらのうち一つ(例えば、バンドＡ)のみをサポートすると仮定すると、Ｃ４が演算式により選択されても、端末２０１は、Ｃ４での送受信動作を遂行することができない。したがって、端末２０１は、自身のためのページングメッセージを受信できない。この場合、端末２０１は、基地局２５１で位置アップデート手順を遂行し、端末２０１が希望するページングキャリアを基地局２５１とその上位システム、すなわちページング制御局に通知しなければならない。これは、基地局２５１の位置アップデート手順の遂行によって決定される。その後、端末２０１に対するページングメッセージは、所望するページングキャリアを通じて伝送される。
【００３７】
上記したように、端末によりアクセス可能なバンドが限定される場合、位置アップデート手順を遂行するオーバーヘッドが発生できる。それによって、図１の割り当て構成のように、複数のバンド及び複数のキャリアが存在する状況で、ページングオーバーヘッドは、適切に分散させないという問題が発生する。
【００３８】
このような問題を解消するために、後述される実施形態では、ページングキャリアは、端末によりサポートされるバンドに関するバンド情報に基づいて決定されるようにする。端末のバンド情報は、端末がアイドルモードに進入する場合にページング制御局によって格納及び管理される。アイドルモード(ＩＭ)進入手順は、端末開始(MS-initiated)又は基地局開始(BS-initiated)方式で遂行され得る。
【００３９】
図３は、本発明の実施形態により、アイドルモード進入手順で端末のバンド情報を伝送する動作を説明するためのメッセージフローを示す。
【００４０】
図３を参照すると、端末３０１は、基地局３３１により運用されるバンドＡをサポートする。ステップ３１１において、端末３０１は、基地局３３１のキャリアのうち、Ｃ１を通じてデータ送受信を完了した後にＩＭ進入のための登録解除要求(Deregistration  Request：ＤＲＥＧ-ＲＥＱ)メッセージを基地局３３１に伝送する。ステップ３１３において、基地局３３１は、端末３０１のＩＭ進入を要求するための状態変更要求(State  Change  REQ)メッセージをページング制御局３４１に伝送する。この状態変更要求メッセージは、端末３０１によりサポートされるバンドに関する情報を含む。上記の例において、バンド情報は、端末３０１がＩＭ進入を遂行するバンドＡを指示する。他の例では、状態変更要求メッセージは、端末３０１によりサポートされるすべてのバンドに関する情報を含むことができる。例えば、端末３０１がバンドＡに加えてバンドＣをサポートする場合、バンドＡ及びバンドＣに関する情報は、状態変更要求メッセージに含まれることができる。
【００４１】
ステップ３１５においで、ページング制御局３４１は、状態変更要求メッセージに対応して状態変更応答(State  Change  RSP)メッセージを基地局３３１に伝送する。状態変更応答メッセージは、状態変更要求メッセージを通じて伝達された端末３０１のバンド情報を含むことができる。
【００４２】
ステップ３１７において、基地局３３１は、ＩＭ進入手順の完了を知らせるための登録解除応答(ＤＲＥＧ-ＲＳＰ)メッセージを端末３０１に伝送する。ステップ３１９において、端末３０１は、ＤＲＥＧ-ＲＳＰメッセージに従ってアイドルモードに遷移する。以後、ステップ３２１で、第１の基地局３３１は、ページング制御局３４１に状態変更確認(State  Change  ACK)メッセージを伝送する。ステップ３２３において、ページング制御局３４１は、端末３０１のページング情報及びバンド情報を管理する。上記ページング情報は、例えば、ページング周期(paging  cycle)、ページングオフセット(paging  offset)、ＤＩＤ、ページンググループ、コンテキスト情報などを含むことができる。バンド情報は、端末３０１のページング時に使用するためにページング制御局３４１に格納される。
【００４３】
図３を参照して端末開始ＩＭ進入手順について説明したが、基地局開始ＩＭ進入手順も、類似した方式で遂行できることはもちろんである。基地局開始ＩＭ進入手順において、バンド情報は、基地局とページング制御局との間で交換される。言い換えれば、基地局は、端末にＩＭ進入のためのＤＲＥＧ-ＲＳＰメッセージを伝送する前にページング制御局と共に端末によりサポートされるバンドを示すバンド情報を交換する。
【００４４】
図４は、本発明の実施形態により、ページングリスニング区間で端末のためのページング公知(paging  announcement)メッセージを伝送する動作を説明するためのメッセージフローを示す。
【００４５】
図４を参照して、端末４０１は、第１の基地局４３１と第３の基地局４３５により運用されるバンドＡをサポートし、第２の基地局４３３はバンドＡ以外のバンドを運用する。ステップ４１１，４１３，４１５において、ページング制御局４４１は、アイドルモードで端末４０１にＰＡＧ-ＡＤＶメッセージを伝送するように知らせるページング公知メッセージを、ページング制御局４４１により管理される第１の基地局４３１、第２の基地局４３３、第３の基地局４３５に伝送する。ページング公知メッセージは、ＰＡＧ-ＡＤＶメッセージが伝送されるバンドに対するバンド情報を含む。ページング公知メッセージに含まれるバンド情報は、ページング制御局４４１が端末４０１に対して管理するバンド情報と同一である。例えば、バンド情報は、図３に示す手順によってページング制御局４４１に格納することができる。
【００４６】
ページング制御局４４１は、端末４０１に対するページング要求を受信すると、端末４０１に対して格納されたバンド情報を検索し、探したバンド情報を含むページング公知メッセージを生成し、生成されたページング公知メッセージを自身のページング制御局４４１により管理されるページンググループに属する基地局に伝送する。端末４０１に対して格納されたバンド情報が存在しない場合、ページング制御局４４１は、バンド情報を提供するために、端末４０１に対するバンド情報を格納している他のページング制御局に要求してバンド情報を獲得する。
【００４７】
第１の基地局４３１、第２の基地局４３３、及び第３の基地局４３５は、各々ページング公知メッセージにより指示される端末４０１に関する情報と、端末４０１によりサポートされるバンドに関する情報に基づいてＰＧＩＤ_ＩｎｆｏメッセージとＰＡＧ-ＡＤＶメッセージを生成する。すなわち、各基地局４３１，４３３，４３５は、自身により運用される少なくとも一つのバンドの中から端末４０１によりサポートされるバンドを選択し、選択されたバンドに属するキャリアの中からページングキャリアとして使用されるキャリアを選択する。ステップ４１７，４１９，４２１において、基地局４３１，４３３，４３５のページンググループ情報とバンド別ページングキャリア情報を含むＰＧＩＤ_Ｉｎｆｏメッセージは、各々基地局４３１，４３３，４３５から端末４０１へ伝送される。一例として、バンド別ページングキャリア情報は、基地局により運用されるバンドの個数と、基地局により運用される各バンドのキャリアの個数と、各バンド内のキャリアのうちページングキャリアを指示するビットマップＢｉｔｍａｐ_Ｂａｎｄを含むことができる。したがって、運用されるバンドの個数だけのビットマップが存在する。特定ビットマップのサイズ又は長さは、関連バンドのキャリアの個数と同一であり、‘１’に設定されたビットは、該当バンドのキャリアの中でページングキャリアを表す。
【００４８】
第１の基地局４３１及び第３の基地局４３５により運用されるバンドをサポートするので、端末４０１は、第１の基地局４３１又は第３の基地局４３５から伝送されたＰＧＩＤ_Ｉｎｆｏメッセージを受信することができる。他の実施形態では、第２の基地局４３３は、端末４０１が自身の第２の基地局４３３により運用されるバンドをサポートしないバンド情報から確認し、ＰＧＩＤ_Ｉｎｆｏメッセージ及びＰＡＧ-ＡＤＶメッセージを伝送しないように決定できる。
【００４９】
ＰＧＩＤ_Ｉｎｆｏメッセージが伝送された後に、第１の基地局４３１、第２の基地局４３３、及び第３の基地局４３５は、ステップ４２３，４２５，４２７で、選択されたページングキャリアでＰＡＧ-ＡＤＶメッセージを伝送する。ＰＡＧ-ＡＤＶメッセージは、選択された該当ページングキャリアでＰＡＧ-ＡＤＶメッセージを受信するように決定された端末４０１に関する情報のみを含む。端末４０１は、第１の基地局４３１と第３の基地局４３５により運用されるバンドをサポートするため、第１の基地局４３１又は第３の基地局４３５により選択されたページングキャリアでＰＡＧ-ＡＤＶメッセージを受信することができる。
【００５０】
図５は、本発明の実施形態により、ページングリスニング区間で端末によりページングキャリアを選択してページングメッセージを受信する動作を説明するメッセージフローを示す。
【００５１】
図５を参照して、基地局５３１は、２個のバンド、すなわちバンドＡとバンドＢを運用し、バンドＡは、キャリアＣ１，Ｃ２，Ｃ３を含み、バンドＢはキャリアＣ４，Ｃ５，Ｃ６，Ｃ７を含む。バンドＡのキャリアＣ１，Ｃ３はバンドＡのページングキャリアとして使用され、バンドＢのキャリアＣ４，Ｃ５，Ｃ６はバンドＢのページングキャリアとして使用される。
【００５２】
ステップ５１１において、ページング制御局５４１は、端末５０１にＰＡＧ-ＡＤＶメッセージを伝送するように指示するページング公知メッセージを基地局５３１に伝送する。上記したように、ページング公知メッセージは、端末５０１によりサポートされるバンド(例えば、バンドＡ)を指示するバンドインデックスを含む。
【００５３】
ステップ５１３において、基地局５３１は、端末５０１がバンドＡをサポートするページング公知メッセージから認知し、所定の演算式によって端末５０１のページングキャリアを決定する。例えば、ページングキャリアを決定するために使用される演算式は、次の数式(２)に示すようである。
【００５４】
【数２】
0005614907.tif 000003
【００５５】
ここで、ＤＩＤは、アイドルモードの端末を識別するために固有に割り当てられる識別子を表し、Ｎ_Ｂａｎｄは該当バンドのページングキャリアの個数を表す。端末５０１は、端末５０１によりサポートされるバンドのバンド別ページングキャリア情報からＮ_Ｂａｎｄを認知できる。例えば、端末５０１のＤＩＤが‘２３７’である場合、端末５０１によりサポートされるバンドＡのページングキャリアの個数は２であるため、端末５０１のページングキャリアはＣ３として決定される。
【００５６】
ステップ５１５において、基地局５３１は、ＰＧＩＤ_Ｉｎｆｏメッセージを端末５０１に伝送する。ＰＧＩＤ_Ｉｎｆｏメッセージは、基地局５３１のページンググループ情報とバンド別ページングキャリア情報を含む。例えば、バンド別ページングキャリア情報は、バンドＡに対するビットマップ‘１０１’とバンドＢに対するビットマップ‘１１１０’を含む。端末５０１は、任意のキャリア、すなわちＣ１を通じてＰＧＩＤ_Ｉｎｆｏメッセージを受信することができる。
【００５７】
ステップ５１７において、端末５０１は、ＰＧＩＤ_Ｉｎｆｏメッセージのバンド別ページングキャリア情報から、端末５０１によりサポートされるバンドＡで基地局５３１により運用されるページングキャリアＣ１及びＣ３に関する情報を獲得する。ステップ５１９において、端末５０１は、基地局５３１で使用されるものと同一の演算式、例えば数式(２)を用いて、ページングメッセージを受信するために使用されるページングキャリアＣ３を決定し、決定されたページングキャリアＣ３をモニタリングする。ステップ５２１において、端末５０１は、ページングキャリアＣ３で基地局５３１により伝送されるＰＡＧ-ＡＤＶメッセージを受信する。
【００５８】
図６Ａ及び図６Ｂは、本発明の実施形態により、基地局によって端末のバンド情報を用いてページングメッセージを送信する動作を示すフローチャートである。
【００５９】
図６Ａ及び図６Ｂを参照すると、基地局は、ステップ６０１で、端末とのネットワーク進入(network  entry)手順を遂行し、ステップ６０３で、端末によりサポートされるバンドに対するバンド情報を獲得する。基地局は、ステップ６０５で端末とのデータ送受信を遂行したが、ステップ６０７において、端末がアイドルモードに遷移するためのＩＭ進入手順を遂行するか否かを判定する。ＩＭ進入手順は、端末と基地局がＤＲＥＧ-ＲＥＱメッセージとＤＲＥＧ-ＲＳＰメッセージを交換するプロセスを含む。ステップ６０７で端末がＩＭ進入手順を遂行すると判定される場合、基地局は、ステップ６０９において、端末のページング情報及びバンド情報をページング制御局に伝送する。ページング情報及びバンド情報は、基地局とページング制御局との間で交換される状態変更要求/応答/確認メッセージで伝達される。端末が登録解除された後、基地局は、ステップ６１１で、アクティブモードの他の端末とデータ送受信を遂行するなど、一般的な基地局動作を遂行する。
【００６０】
一般的な基地局動作を遂行しつつ、基地局は、ステップ６１３で、ページング制御局からページング公知メッセージが受信されるか否かを判定する。ページング指示メッセージは基地局がページングメッセージを送信する端末のページング情報及びバンド情報を含む。ページングメッセージを送信する端末は、ステップ６０７で、ＩＭ進入手順を遂行した端末と同一の端末、あるいは上記端末と異なる端末となり得る。
【００６１】
ステップ６１３でページング公知メッセージが受信されると判定される場合、基地局は、ステップ６１５で、ページング公知メッセージから端末のバンド情報を獲得する。したがって、ページング指示された端末が基地局でＩＭ進入手順を遂行しないとしても、基地局は、端末のバンド情報をページング制御局から受信することができる。ステップ６１７で、基地局は、端末が基地局により運用されるバンドをサポートするか否かを判定される。ステップ６１７で端末が基地局により運用されるバンドをサポートすると決定される場合、基地局は、ステップ６１９において、上記バンドで使用される少なくとも一つのページングキャリアを決定し、所定の演算式を用いて端末がページングメッセージの受信のためにモニタリングするページングキャリアを決定する。ステップ６２１において、基地局は、バンドに対して決定された少なくとも一つのページングキャリアを示すバンド別ページングキャリア情報をページング制御メッセージを用いて端末に伝送する。ステップ６２３において、基地局は、端末に対して決定されたページングキャリアを通じて端末のためのページングメッセージを伝送する。
【００６２】
上記した本発明の実施形態による動作は、該当プログラムコードを格納するメモリ装置を基地局及び端末の各々に装着することによって実現できる。言い換えれば、基地局及び端末の各々は、メモリ装置内に格納されたプログラムコードをプロセッサ又はＣＰＵ(Central  Processing  Unit)を含む制御器によって読み取って実行し、必要な情報を送受信器を通じて相互に送受信することによって、説明した動作を実行する。
【００６３】
具体的には、基地局は、ページング制御メッセージとページングメッセージを生成してページング公知メッセージを分析する制御器(プロセッサ又はＣＰＵを包含)と、制御器の制御によってページング制御メッセージとページングメッセージを伝送する少なくとも一つのバンド送受信器とを含む。同様に、端末は、ページング制御メッセージとページングメッセージを分析して端末がページングされたか否かを確認する制御器(プロセッサ又はＣＰＵを包含)と、制御器の制御によってページング制御メッセージとページングメッセージを受信する少なくとも一つのバンド送受信器とを含む。
【００６４】
図７は、本発明の実施形態による基地局を簡略的に示すブロック構成図である。
【００６５】
図７を参照すると、制御器７０１は、上位システム又はページング制御局７０７からページング公知メッセージを受信し、ページング公知メッセージに含まれた端末情報及びバンド情報を獲得してメモリ７０３に格納する。制御器７０１は、端末情報及びバンド情報に基づいて端末のページング制御メッセージとページングメッセージを生成する。制御器７０１は、バンド情報に基づき、端末によりサポートされるバンドで端末のページングメッセージを伝送するページングキャリアを決定する。ページング制御メッセージは、基地局のバンド送受信器、例えばバンドＡの送受信器７０５及びバンドＢの送受信器７０９を通じて伝送される。ページングメッセージは、ページング制御メッセージが送信された後、制御器７０１により選択された端末のページングキャリアを通じて伝送される。
【００６６】
以上、本発明の詳細な説明においては具体的な実施形態に関して説明したが、特許請求の範囲の記載及びこれと均等なものに基づいて定められる本発明の範囲及び精神を逸脱することなく、形式や細部の様々な変更が可能であることは、当該技術分野における通常の知識を持つ者には明らかである。
【符号の説明】
【００６７】
１００  バンドＡ
１０３  バンドＢ
１１１  第１の基地局
１５１  第２の基地局
７０１  制御器
７０３  メモリ
７０５  バンドＡの送受信器
７０７  ページング制御局
７０９  バンドＢの送受信器
【図１】
0005614907.tif 000004
【図２】
0005614907.tif 000005
【図３】
0005614907.tif 000006
【図４】
0005614907.tif 000007
【図５】
0005614907.tif 000008
【図６Ａ】
0005614907.tif 000009
【図６Ｂ】
0005614907.tif 000010
【図７】
0005614907.tif 000011